【手続補正書】
【提出日】平成16年9月1日(2004.9.1)
【手続補正１】
【補正対象書類名】明細書
【補正対象項目名】特許請求の範囲
【補正方法】変更
【補正の内容】
【特許請求の範囲】
【請求項１】
軸外インク供給手段を有するプリントシステムであって、
プリンタハウジングと、
プリント媒体を媒体経路に沿ってプリント領域へ搬送するための搬送手段と、
プリントヘッドを含むプリントカートリッジを保持する走査キャリッジと、
媒体経路に対して横方向の走査軸に沿って前記キャリッジを移動させるための、該キャリッジに結合されたキャリッジ走査装置であって、キャリッジ走査掃出容積を画定する移動経路を介して前記キャリッジを通過させる、キャリッジ走査装置と、
前記プリンタハウジングに対して固定位置に取り付けられた軸外インク供給部であって、前記走査軸のインク供給部側に配置された、軸外インク供給部と、
前記キャリッジと前記軸外インク供給部との間に延びて前記プリントカートリッジのためのインク補給経路を提供する流体導管手段とを備えており、
前記キャリッジが前記走査軸に沿って走査される際に動的に曲がるループが前記流体導管手段に形成されるように、前記流体導管手段が前記ハウジングにより画定される容積内で前記キャリッジと前記軸外インク供給部との間に取り回され、及び、該流体導管手段が、前記走査軸の前記インク供給部側に完全に位置する流体経路を前記ループと前記インク供給部との間に画定し、前記インク補給経路がキャリッジ流体経路部分を含み、前記流体経路を前記カートリッジに接続する前に前記キャリッジ流体経路部分に少なくとも180度の方向転換を提供する手段を更に含み、該方向転換を提供する手段が、入力ポート及び出力ポートを有するインクマニホルドを含み、該入力ポートが前記流体導管手段の一端に接続され、インク連結部材を更に含み、該インク連結部材により前記出力ポートが前記カートリッジに接続され、媒体経路方向に沿った前記動的に曲がるループの垂直投影が、対応する前記キャリッジ走査掃出容積の垂直投影内に実質的に包含され、これにより前記ループを収容するために前記プリンタハウジング内に必要となるスペースを削減すると共に、コンパクトな省スペースの流体導管取り回し構成を提供する、プリントシステム。
【請求項２】
前記キャリッジが、異なる色の流体インクでプリントするために複数のプリントカートリッジを保持し、前記軸外インク供給部が、前記異なる色のインクの供給源を保持するために複数のインク供給カートリッジを含み、及び前記流体導管手段が、複数の流体導管を画定する、請求項１に記載のプリントシステム。
【請求項３】
前記流体導管手段が、第１の流体導管手段部分と第２の流体導管手段部分とを含み、前記動的に曲がるループが、前記第１の流体導管手段部分と前記第２の流体導管手段部分との間に画定され、前記第１及び第２の流体導管手段部分が、前記キャリッジ走査掃出容積内で垂直方向に重ならない、請求項１に記載のプリントシステム。
【請求項４】
軸外プリンタのためのインク取り回しシステムであって、該プリンタが、媒体経路に沿ってプリント媒体を搬送するための搬送システムを有しており、該プリンタが、プリントヘッドを含むプリントカートリッジを保持するための走査キャリッジを有しており、該走査キャリッジが前記カートリッジを保持しており、該プリンタが、前記媒体経路に対して横方向の走査軸に沿って前記キャリッジを走査させるための走査手段を有しており、前記プリントヘッドが、前記プリント媒体上へインクを射出するための、少なくとも１つの実質的に直線の行をなす複数のノズルを有しており、該インク取り回しシステムが、
固定されたインク供給手段と、
該インク供給手段と前記キャリッジとの間を相互接続して、該プリンタキャリッジのためのインク補給経路を提供する、流体導管であって、前記インク供給手段と前記キャリッジ上の第１の位置との間に流体経路を提供する軸外キャリッジ部と、前記キャリッジ上の前記第１の位置と前記プリントカートリッジとの間に流体経路を提供するオンキャリッジ部とを含み、該流体導管内に動的に曲がるループが形成されるように前記インク供給手段と前記キャリッジとの間に取り回され、該ループが、前記ノズルの行を二分する垂直平面と交差し、及び媒体経路に対して横方向に延びる、流体導管と、
前記キャリッジに取り付けられて前記第１の位置で前記導管に対する支持を提供する応力除去部材であって、該応力除去部材と前記インク供給手段との間で前記流体導管が少なくとも90度回転する、応力除去部材と
を含む、軸外プリンタのためのインク取り回しシステム。
【請求項５】
軸外プリンタのためのインク供給サブシステムであって、該プリンタが、媒体経路に沿ってプリント領域へとプリント媒体を搬送するための搬送システムを有しており、該プリンタが、プリントヘッドを含むプリントカートリッジを該プリントヘッドがプリント領域に面するように保持するための走査キャリッジを有しており、該プリンタが、前記プリント領域において前記媒体経路に対して横方向の走査軸に沿って前記キャリッジを走査させるための走査手段を有しており、前記カートリッジが、前記プリント媒体上へインクを射出するための、少なくとも１つの実質的に直線の行をなす複数のノズルを有しており、該インク供給サブシステムが、
固定されたインク供給手段に対して取り外し可能な状態で取り付けられるよう構成されたインクリザーバと、
該インクリザーバと流体連通した流体出口と、
前記流体出口から出て、前記インク供給手段と前記キャリッジとの間を相互接続する導管を介して移動するインクとを含み、該導管が、前記プリンタカートリッジのためのインク補給経路を提供し、及び前記インク供給手段と前記キャリッジとの間に取り回されて、該流体導管内に動的に曲がるループが形成されるようになっており、該ループが、２つの位置で前記媒体経路に対して横方向の垂直平面と交差し、前記インクリザーバが前記インク供給手段内に取り外し可能な状態で取り付けられた際に前記垂直平面が前記ノズルの行と交差し、前記導管が、前記インク供給手段と前記キャリッジ上の第１の位置との間に第１の流体経路を提供する軸外キャリッジ部分と、前記キャリッジ上の前記第１の位置と前記プリントカートリッジとの間に第２の流体経路を提供するオンキャリッジ部分とを含み、該インク供給サブシステムが更に、
前記キャリッジに取り付けられて前記第１の位置で前記導管に対する支持を提供する応力除去部材であって、該応力除去部材と前記インク供給手段との間で前記流体導管が90度回転する、応力除去部材
を含む、軸外プリンタのためのインク供給サブシステム。
【請求項６】
軸外インク供給手段を有するプリントシステムであって、
プリンタハウジングと、
プリント媒体を媒体経路に沿ってプリント領域へ搬送するための搬送手段と、
プリントヘッドを含むプリントカートリッジを保持する走査キャリッジと、
媒体経路に対して横方向の走査軸に沿って前記キャリッジを移動させるための、該キャリッジに結合されたキャリッジ走査装置であって、キャリッジ走査掃出容積を画定する移動経路を介して前記キャリッジを通過させる、キャリッジ走査装置と、
前記プリンタハウジングに対して固定位置に取り付けられた軸外インク供給手段であって、前記走査軸のインク供給手段側に配置された、軸外インク供給手段と、
中空管部材を含み、前記キャリッジと前記軸外インク供給手段との間に延びて前記プリントカートリッジのためのインク補給経路を提供する、流体導管手段とを備えており、
前記キャリッジが前記走査軸に沿って走査される際に動的に曲がるループが前記流体導管手段内に形成されるように、前記流体導管手段が前記ハウジングにより画定される容積内で前記キャリッジと前記軸外インク供給手段との間に取り回され、及び、該流体導管手段が、前記走査軸の前記インク供給手段側に完全に位置する流体経路を前記ループと前記インク供給手段との間に画定し、前記インク補給経路がキャリッジ流体経路部分を含み、前記流体経路を前記カートリッジに接続する前に前記キャリッジ流体経路部分に少なくとも180度の方向転換を提供する手段を更に含み、該方向転換を提供する手段が、前記カートリッジに隣接して該カートリッジと流体連通した継手に対する前記中空管部材の直接の取り回しを含み、該中空管部材が、前記少なくとも180度の方向転換を介して取り回され、前記媒体経路に沿った前記動的に曲がるループの垂直方向の突出部分が、前記キャリッジ走査掃出容積の対応する垂直方向の突出部分内に実質的に包含され、これにより前記ループを収容するために前記プリンタハウジング内に必要となるスペースを削減すると共に、コンパクトな省スペースの流体導管取り回し構成を提供する、プリントシステム。
【請求項７】
軸外インク供給手段を有するプリントシステムであって、
プリンタハウジングと、
プリント媒体を媒体経路に沿ってプリント領域へ搬送するための搬送手段と、
プリントヘッドを含むプリントカートリッジを保持する走査キャリッジと、
媒体経路に対して横方向の走査軸に沿って前記キャリッジを移動させるための、該キャリッジに結合されたキャリッジ走査装置であって、キャリッジ走査掃出容積を画定する移動経路を介して前記キャリッジを通過させる、キャリッジ走査装置と、
前記プリンタハウジングに対して固定位置に取り付けられた軸外インク供給手段と、
中空管部材を含み、前記キャリッジと前記軸外インク供給手段との間に延びて前記プリントカートリッジのためのインク補給経路を提供する、流体導管手段とを備えており、
前記軸外インク供給手段が、前記走査軸のインク供給手段側に配置され、前記インク補給経路がキャリッジ流体経路部分を含み、前記キャリッジ流体経路を前記カートリッジに接続する前に前記キャリッジ流体経路部分に少なくとも180度の方向転換を提供するための手段を更に含み、該方向転換を提供するための手段が、前記カートリッジに隣接して該カートリッジと流体連通した継手に対する前記中空管部材の直接の取り回しを含み、該中空管部材が、前記少なくとも180度の方向転換を介して取り回されて、前記カートリッジに直接接続し、
前記キャリッジが前記走査軸に沿って走査される際に動的に曲がるループが前記流体導管手段内に形成されるように、該流体導管手段が、前記ハウジングにより画定される容積内で前記キャリッジと前記軸外インク供給部との間に取り回され、該流体導管手段が、前記走査軸と交差する流体経路を前記ループと前記インク供給手段との間に画定し、前記媒体経路の方向に沿った前記動的に曲がるループの垂直方向の突出部分が、前記キャリッジ走査掃出容積の対応する垂直方向の突出部分内に実質的に包含され、これにより前記ループを収容するために前記プリンタハウジング内に必要となるスペースを削減すると共に、コンパクトな省スペースの流体導管取り回し構成を提供する、プリントシステム。
【請求項８】
軸外インク供給手段を有するプリントシステムであって、
プリンタハウジングと、
プリント媒体を媒体経路に沿ってプリント領域へ搬送するための搬送手段と、
プリントヘッドを含むプリントカートリッジを保持する走査キャリッジと、
媒体経路に対して横方向の走査軸に沿って前記キャリッジを移動させるための、該キャリッジに結合されたキャリッジ走査装置であって、キャリッジ走査掃出容積を画定する移動経路を介して前記キャリッジを通過させる、キャリッジ走査装置と、
前記プリンタハウジングに対して固定位置に取り付けられた軸外インク供給手段と、
前記キャリッジと前記軸外インク供給手段との間に延びて前記プリントカートリッジのためのインク補給経路を提供する、流体導管手段とを備えており、
前記軸外インク供給手段が、前記走査軸のインク供給手段側に配置され、前記インク補給経路がキャリッジ流体経路部分を含み、前記キャリッジ流体経路を前記カートリッジに接続する前に前記キャリッジ流体経路部分に少なくとも180度の方向転換を提供するための手段を更に含み、
前記キャリッジが前記走査軸に沿って走査される際に動的に曲がるループが前記流体導管手段内に形成されるように、該流体導管手段が、前記ハウジングにより画定される容積内で前記キャリッジと前記軸外インク供給手段との間に取り回され、該流体導管手段が、前記走査軸と交差する流体経路を前記ループと前記インク供給手段との間に画定し、前記方向転換を提供する前記手段が、入力ポート及び出力ポートを有するインクマニホルドを含み、該入力ポートが前記流体導管手段の一端に接続され、インク連結部材を更に含み、該インク連結部材により前記出力ポートが前記カートリッジに接続され、媒体経路方向に沿った前記動的に曲がるループの垂直投影が、対応する前記キャリッジ走査掃出容積の垂直投影内に実質的に包含され、これにより前記ループを収容するために前記プリンタハウジング内に必要となるスペースを削減すると共に、コンパクトな省スペースの流体導管取り回し構成を提供する、プリントシステム。
【請求項９】
軸外プリンタのためのインク取り回しシステムであって、該プリンタが、媒体経路に沿ってプリント媒体を搬送するための搬送システムを有しており、該プリンタが、プリントヘッドを含むプリントカートリッジを保持するための走査キャリッジを有しており、該走査キャリッジが前記カートリッジを保持しており、該プリンタが、前記媒体経路に対して横方向の走査軸に沿って前記キャリッジを走査させるための走査手段を有しており、前記プリントヘッドが、前記プリント媒体上へインクを射出するための、少なくとも１つの実質的に直線の行をなす複数のノズルを有しており、該インク取り回しシステムが、
固定されたインク供給手段と、
該インク供給手段と前記キャリッジとの間を相互接続して、該プリンタキャリッジのためのインク補給経路を提供する、流体導管であって、前記インク供給手段と前記キャリッジ上の第１の位置との間に流体経路を提供する軸外キャリッジ部と、前記キャリッジ上の前記第１の位置と前記プリントカートリッジとの間に流体経路を提供するオンキャリッジ部とを含み、該流体導管内に動的に曲がるループが形成されるように前記インク供給手段と前記キャリッジとの間に取り回され、該ループが、前記ノズルの行を二分する垂直平面と交差し、及び媒体経路に対して横方向に延びる、流体導管と、
前記キャリッジに取り付けられて前記第１の位置で前記導管に対する支持を提供する応力除去部材であって、該応力除去部材と前記インク供給手段との間で前記流体導管が180度の回転を介して通過する、応力除去部材と
を含む、軸外プリンタのためのインク取り回しシステム。
【請求項１０】
軸外プリンタのためのインク供給サブシステムであって、該プリンタが、媒体経路に沿ってプリント領域へとプリント媒体を搬送するための搬送システムを有しており、該プリンタが、プリントヘッドを含むプリントカートリッジを該プリントヘッドがプリント領域に面するように保持するための走査キャリッジを有しており、該プリンタが、前記プリント領域において前記媒体経路に対して横方向の走査軸に沿って前記キャリッジを走査させるための走査手段を有しており、前記カートリッジが、前記プリント媒体上へインクを射出するための、少なくとも１つの実質的に直線の行をなす複数のノズルを有しており、該インク供給サブシステムが、
固定されたインク供給手段に対して取り外し可能な状態で取り付けられるよう構成されたインクリザーバと、
該インクリザーバと流体連通した流体出口と、
前記流体出口から出て、前記インク供給手段と前記キャリッジとの間を相互接続する導管を介して移動するインクとを含み、該導管が、前記プリンタカートリッジのためのインク補給経路を提供し、及び前記インク供給手段と前記キャリッジとの間に取り回されて、該流体導管内に動的に曲がるループが形成されるようになっており、該ループが、２つの位置で前記媒体経路に対して横方向の垂直平面と交差し、前記インクリザーバが前記インク供給手段内に取り外し可能な状態で取り付けられた際に前記垂直平面が前記ノズルの行と交差し、前記導管が、前記インク供給手段と前記キャリッジ上の第１の位置との間に第１の流体経路を提供する軸外キャリッジ部分と、前記キャリッジ上の前記第１の位置と前記プリントカートリッジとの間に第２の流体経路を提供するオンキャリッジ部分とを含み、該インク供給サブシステムが更に、
前記キャリッジに取り付けられて前記第１の位置で前記導管に対する支持を提供する応力除去部材であって、該応力除去部材と前記インク供給手段との間で前記流体導管が少なくとも180度の回転を介して通過する、応力除去部材
を含む、軸外プリンタのためのインク供給サブシステム。